(57)【特許請求の範囲】
【請求項１】
展示物に係る案内情報を見学者に提供する案内装置において、
見学者携帯用の子機と、該子機を着脱する親機を備え、
前記親機は、
全ての展示物に係る案内情報を複数の国語で記憶する親機記憶手段と、
前記案内情報の国語を選択する選択手段と、
前記親機記憶手段に記憶された案内情報の中から、選択された国語による全ての展示物に係る案内情報を、装着された子機に出力する出力手段と、
を備えて構成され、
前記子機は、
前記親機から出力された全ての展示物に係る案内情報を記憶する子機記憶手段と、
前記記憶された全ての案内情報の中から、所定展示物に係る案内情報を指定する指定手段と、
指定された所定展示物に係る案内情報を、子機記憶手段から出力して再生する再生手段と、
を備えて構成されたことを特徴とする案内装置。
【請求項２】
前記子機の指定手段は、見学者の指定に基づいて所定展示物に係る案内情報を指定するように構成されたことを特徴とする請求項１に記載の案内装置。
【請求項３】
前記子機の指定手段に作動信号を送信する送信手段を各展示物毎に備える一方、
前記指定手段は、前記送信手段から作動信号を受信し、該作動信号に基づいて所定展示物に係る案内情報を指定するように構成されたことを特徴とする請求項１又は請求項２に記載の案内装置。
【請求項４】
前記子機の再生手段は、
案内情報の再生速度を調節する速度調節手段と、
前記案内情報の所定の再生箇所に飛び越して再生する飛び越し手段と、
前記案内情報の所定の再生範囲を繰り返し再生する反復手段と、
のうち、少なくとも１つの手段を含んで構成されたことを特徴とする請求項１〜請求項３のいずれか１つに記載の案内装置。
【発明の詳細な説明】
【０００１】
【産業上の利用分野】
本発明は、例えば博物館、美術館、資料館、水族館、動物園、及び催物の展示会場等において使用される案内装置に関し、特に見学者の希望する案内情報を何時でも何処でも提供できるようにする技術に関する。
【０００２】
【従来の技術】
例えば博物館、美術館、資料館、水族館、動物園、及び催物の展示会場等において、見学者に音声案内器を貸し出して、見学者が希望する国語の案内情報を音声案内器で再生して展示品の詳しい説明を行う案内装置が知られている。
従来の案内装置では、見学者が無線受信機を携帯し、無線受信機に対し、例えば誘導無線伝送、赤外線伝送等を利用して繰り返し無線伝送を行い、また、例えば周波数、位相等を変えて複数国の説明を伝送し、見学者が周波数、位相等を選択することにより、希望する国語の無線伝送を受信する方式を採用していた。
【０００３】
【発明が解決しようとする課題】
しかしながら、従来の案内装置では、同一変調方式で周波数あるいは位相等を変えて案内情報を提供しているため、混信の問題を避けることができず、国語数を限定し、展示物に係る案内情報をある程度まとめて説明を行う必要があり、また、同じ案内情報を繰り返して無線伝送する方式なので、見学者は聞き漏らしたり、説明を必要としない部分があったりしても、見学者の自由にはならず、さらに自分に合わないスピードでも自分の意志でスピードを変えることができなかった。
【０００４】
本発明はこのような従来の課題に鑑みてなされたもので、見学者の希望する案内情報を何時でも何処でもすぐに提供できるような案内装置を提供することを目的とする。
【０００５】
【課題を解決するための手段】
このため、請求項１の発明にかかる案内装置では、展示物に係る案内情報を見学者に提供する案内装置において、見学者携帯用の子機と、該子機を着脱する親機を備え、前記親機は、全ての展示物に係る案内情報を複数の国語で記憶する親機記憶手段と、前記案内情報の国語を選択する選択手段と、前記親機記憶手段に記憶された案内情報の中から、選択された国語による全ての展示物に係る案内情報を、装着された子機に出力する出力手段と、を備えて構成され、前記子機は、前記親機から出力された全ての展示物に係る案内情報を記憶する子機記憶手段と、前記記憶された全ての案内情報の中から、所定展示物に係る案内情報を指定する指定手段と、指定された所定展示物に係る案内情報を、子機記憶手段から出力して再生する再生手段と、を備えて構成された。
【０００６】
請求項２の発明にかかる案内装置では、前記子機の指定手段は、見学者の指定に基づいて所定展示物に係る案内情報を指定するように構成された。
請求項３の発明にかかる案内装置では、前記子機の指定手段に作動信号を送信する送信手段を各展示物毎に備える一方、前記指定手段は、前記送信手段から作動信号を受信し、該作動信号に基づいて所定展示物に係る案内情報を指定するように構成された。
【０００７】
請求項４の発明にかかる案内装置では、前記子機の再生手段は、案内情報の再生速度を調節する速度調節手段と、前記案内情報の所定の再生箇所に飛び越して再生する飛び越し手段と、前記案内情報の所定の再生範囲を繰り返し再生する反復手段と、のうち、少なくとも１つの手段を含んで構成された。
【０００８】
【作用】
上記、請求項１の発明にかかる案内装置の構成によれば、親機記憶手段には、展示物毎の案内情報が複数の国語で記憶される。案内情報の国語が選択手段により選択されると、出力手段は、選択された国語による全ての展示物に係る案内情報を装着された子機に出力し、該案内情報は、子機の子機記憶手段に記憶される。そして、指定手段により所定展示物に係る案内情報が指定されると、再生手段は、指定された所定展示物に係る案内情報を子機記憶手段から出力して再生する。このように、子機記憶手段には、見学者の希望する国語による全ての展示物に係る案内情報が記憶されているので、見学者の指定により見学者の希望する案内情報を何時でも何処でもすぐに提供することが可能となる。
【０００９】
請求項２の発明にかかる案内装置の構成によれば、指定手段は、見学者の指定に基づいて所定展示物に係る案内情報を指定するので、見学者は手動で所定の展示物に係る案内情報を指定することが可能となる。
請求項３の発明にかかる案内装置の構成によれば、送信手段により、子機の指定手段に作動信号が送信され、指定手段は、作動信号に基づいて自動的に所定の展示物に係る案内情報を指定する。
【００１０】
請求項４の発明にかかる案内装置の構成によれば、速度調節手段を備えることにより、見学者に最適な速度で案内情報が提供され、飛び越し手段を備えることにより、案内情報を飛ばして得ることが可能となり、反復手段を備えることにより、何回でも案内情報を得ることが可能となり、見学者は、簡単な操作で、自分の意志で、何時でも何処でも好きな部分から、自分に合った速度で説明を聞くことが可能となる。
【００１１】
【実施例】
以下、本発明の一実施例を図１〜図５に基づいて説明する。
図１は、本実施例の案内装置の構成を示すブロック図であり、図２は、案内装置の説明図である。
案内装置は、例えば博物館、美術館、資料館、水族館、動物園、及び催物の展示会場等において使用される見学者に対するガイドシステムであり、素材作成装置１と、親機である音声案内貸出機（以後、「貸出機」と記す）２と、子機である音声案内機（以後、「案内機」と記す）３と、を備えることによって構成されている。
【００１２】
尚、図３において、展示会場の多数のコーナーのうち、最初の２コーナーにつして説明されており、Ａ，Ｂコーナーの天井あるいは壁には、送信手段としての送信装置５Ａ，５Ｂが配設されている。この送信装置５Ａ，５Ｂは、展示物の番号等のＩＤコードを案内機３に送信するものであり、伝送媒体として例えば赤外線等が使用される。
【００１３】
素材作成装置１は、Ａ，Ｂコーナーの各展示棚に展示されている展示物に係る案内情報を作成する装置であり、図１に示すように、音声入力部11と、一時保存部12と、編集部13と、圧縮部14と、ファイル部15と、ファイル転送装置16と、を備えて構成されている。
音声入力部11は、各展示物に係る音声による説明内容を入力し、音声信号に変換してレベル調整したのち、デジタル音声信号に変換する装置である。尚、案内情報には、例えば日本語、韓国語、中国語、仏語、英語の５カ国の国語が用いられる。
【００１４】
一時保存部12は、かかるデジタル音声信号を一時保存する装置である。
編集部13は、このデジタル音声信号の無音部分等を削除したり、各国語、展示物の番号等のＩＤ信号を付加したりしてデジタル音声信号を編集する装置である。
圧縮部14は、編集されたデジタル音声信号を例えば1/4,1/8,1/12等に圧縮する装置である。
【００１５】
ファイル部15は、圧縮されたデジタル音声信号をファイリングして保存する装置である。
ファイル転送装置16は、記録媒体である例えば光磁気ディスク４に、ファイル部15でファイリングされたデジタル音声信号を案内情報として記録する装置であり、光磁気ディスク４は、貸出機２に装着される。
【００１６】
次に、貸出機２について説明する。
貸出機２は、図２に示すように、展示会場入り口等に配設されて見学者携帯用の案内機３を装着し、装着された案内機３に案内情報を転送する機器であり、本実施例の貸出機２には、例えば50個の案内機３が装着可能である。
この貸出機２は、ファイル読み出し部21と、信号配信部22と、出力端末部23−１〜23−50と、を備えて構成されている。
【００１７】
ファイル読み出し部21は、光磁気ディスク４を装着して光磁気ディスク４に記録された案内情報を読み出す装置である。尚、この光磁気ディスク４が親機記憶手段に相当する。
信号配信部22は、ファイル読み出し部21に接続し、読み出された案内情報を各出力端末部23−１〜23−50に配信する装置である。
【００１８】
出力端末部23−１〜23−50は、夫々、配信された案内情報を案内機３に転送する装置であり、信号受信部24と、国語選択部25と、信号転送部26と、を備えて構成されている。
国語選択部25は、信号配信部22により配信された案内情報の中から、所望の国語を選択する選択手段であり、１国語が選択される。選択される国語は１国語であればよいが、２国語以上選択できるようにしてもよい。
【００１９】
信号受信部24は、国語選択部25の選択情報に基づいて、選択された１国語だけの全ての展示物に係る案内情報を受信するものである。
信号転送部26は、案内機３の信号記憶部31に案内情報を転送するものであり、それと同時に案内機３の本体を充電する機能も備えている。この信号転送部26が出力手段に相当する。
【００２０】
この貸出機２の正面図を図４に示す。この図において、貸出機２の前面には、50個の案内機３を装着する出力端末部23−１〜23−50が、例えば５列×10個、配列されている。
出力端末部23−１〜23−50の上部には、例えば日本語、韓国語、中国語、仏語、英語を一括して選択する国語一括選択スイッチ（以後、単に「スイッチ」と記す）42−１〜42−５が配設され、さらにその上にはスイッチ部43が配設されている。その部分拡大図である図５に示すように、スイッチ部43には、選択した国語を一括してプリセットする国語一括選択プリセットスイッチ（以後、単に「スイッチ」と記す）44−１〜44−５が配設されている。
【００２１】
出力端末部23−１〜23−50の部分拡大図である図６に示すように、案内機３は出力端末部23−１〜23−50の装入口45に装着される。装入口45の上部には、案内機３毎に１国語を選択するためのスイッチ46−１〜46−５が配設され、装入口45の下には、点灯して案内機３への充電が完了したことを示すランプ47と、点灯して案内機３へのデータ転送が完了したことを示すランプ48と、が配設されている。
【００２２】
尚、これらのスイッチ42−１〜42−５，44−１〜44−５，46−１〜46−５を押した情報は、選択情報として前述の国語選択部25に入力される。
次に、案内機３は、各展示物に係る案内情報を見学者７に提供するための機器であり、見学者７に携帯される。この案内機３は、図１に示すように、信号記憶部31と、信号読み出し部32と、操作調整部33と、ＩＤコード受信部34と、伸張部35と、音声出力部36と、を備えて構成されている。
【００２３】
信号記憶部31は、貸出機２の信号転送部26から転送された案内情報を記憶するものであり、子機記憶手段に相当する。
操作情報入力部33は、パネルに配設されたボタン等による手動操作の情報を入力するものであり、ＩＤコード受信部34は、Ａコーナー、Ｂコーナーの送信装置５Ａ，５Ｂから赤外線により放射されている展示物の番号等のＩＤコードを受信するものである。操作情報入力部33、ＩＤコード受信部34の情報は、信号読み出し部32に入力される。この操作情報入力部33、ＩＤコード受信部34が指定手段に相当する。
【００２４】
信号読み出し部32は、操作情報入力部33、ＩＤコード受信部34からの情報に基づいて信号記憶部31に記憶された所定の展示物に係る案内情報を読み出すものである。そして伸張部35は圧縮された信号を伸張する。
音声出力部36は、伸張された案内情報をアナログ音声信号に変換し、イヤホーン等の再生器に出力する。この音声出力部36が再生手段に相当する。
【００２５】
この案内機３の正面図を図７に示す。この図において、案内機３には、見学者７の肩等に掛けて手軽に携帯できるように、ストラップ51が取り付けられており、正面パネルには、ボタン52〜56が配設されている。ボタン52はスタート・ボタンであり、ボタン53，54は、夫々、案内情報をフレーズ単位で前進させるボタン、後進させるボタンであり、ボタン55，56は、コーナー単位の案内情報を後進、前進させるボタンである。案内機３の下面、上面には、夫々、図７の（Ａ），（Ｂ）からの矢視図である図８，図９に示すように、案内情報を受信するためのデータ取込み口57、音声を再生するイヤホーンのジャック58が備えられている。案内機３の右側面には、図７の（Ｃ）からの矢視図である図10に示すように、スピード調節スイッチ59と音声ボリューム60が備えられている。これらボタン、ボリュームの操作情報は、前述の操作情報入力部33に入力される。また、正面パネルには、各操作情報を表示する表示部61が備えられている。
【００２６】
次に動作を説明する。
各展示物に係る音声による案内情報は、５カ国語で素材作成装置１の音声入力部11に音声として入力され、デジタル音声信号に変換されたのち、一時保存部12に一時保存され、編集部13において、このデジタル音声信号の無音部分等の削除、展示物の番号等のＩＤコードの付加等の編集が行われる。そしてデジタル音声信号は、圧縮部14において圧縮され、ファイル部15に保存される。保存されたデジタル音声信号はファイル転送部16において案内情報として光磁気ディスク４に記録される。
【００２７】
この光磁気ディスク４は、展示会場の入り口に配設された貸出機２のファイル読み出し部21に装着される。光磁気ディスク４がファイル読み出し部21に装着されると、光磁気ディスク４に記憶されている案内情報はファイル読み出し部21により読み出され、信号配信部22により各出力端末部23−１〜23−50に転送される。
【００２８】
一方、貸出機２の各出力端末部23−１〜23−50には、案内機３を装着しておく。この案内機３は、例えば窓口６において、見学者７に貸し出される。
案内機３を貸し出すときは、貸出機２のスイッチ42−１〜42−５，46−１〜46−５の中から、希望する国語のスイッチを押す。例えば、見学者７が日本語による説明を聞きたいときには、日本語一括選択用のスイッチ42−１、あるいは案内機３が装着されている出力端末部23−１〜23−50の日本語選択用のスイッチ46−１を押す。スイッチ42−１を押せば、すべての案内機３について日本語が一括して選択され、出力端末部23−１のスイッチ46−１を押せば、出力端末部23−１についてだけ日本語が選択される。
【００２９】
出力端末部23−１のスイッチ46−１が押された場合、貸出機２の出力端末部23−１の国語選択部25に、日本語選択情報が入力され、信号受信部24では、日本語選択情報に基づいて、日本語による全ての展示物に係る案内情報が選択受信される。この案内情報は、信号転送部26から、出力端末部23−１の装入口45に装着された案内機３の信号記憶部31に転送され、転送が完了すると、ランプ48が点灯する。それと同時に、出力端末部23−１は、この案内機３を充電し、充電が完了するとランプ47が点灯する。このランプ47、48が点灯すれば、貸出可能となり、ランプ47、48が点灯したのを確認してこの案内機３を出力端末部23−１から引抜き、イヤホーンをジャック58に差し込み、携帯して展示会場に入る。
【００３０】
見学者７が、図３に示すように、Ａコーナーに入場したとき、ボタン55又はボタン56を押して、Ａコーナーの展示物に係る案内情報を指定するか、あるいは案内機３のＩＤコード受信部34を送信装置５Ａに向け、赤外線により放射されているＡコーナーの展示物の番号等のＩＤコードを受信する。
ボタン55又はボタン56を押した場合には、ボタン55又はボタン56の操作情報が、操作情報入力部33に入力され、Ａコーナーの展示物に係る案内情報が手動で指定される。また、ＩＤコードを受信した場合には、ＩＤコードはＩＤコード受信部34により受信され、Ａコーナーの展示物に係る案内情報が自動的に指定される。
【００３１】
そして、ボタン52が押されると、信号読み出し部32では、操作情報入力部33の操作情報又はＩＤコード受信部34で受信されたＩＤコードに基づいてＡコーナーの展示物に係る案内情報が、信号記憶部31から読み出され、伸張部35において伸張される。そして、この案内情報は、音声出力部36からイヤホーンに出力されて再生される。
【００３２】
Ａコーナーの展示物に係る案内情報は、見学者７の希望に応じて再生される。例えば、再生スピードを調節したいときには、スピード調節スイッチ59を調節すれば、この速度情報は、操作情報入力部33に入力され、案内情報は、見学者７の希望に応じた速度で、同じ音程で再生される。同様にして案内情報を聞き漏らしたときには、ボタン54又はボタン56を押して案内情報を後進させ、聞き飛ばしたいときには、ボタン53を押して案内情報をフレーズ単位で先送りするか、ボタン55を押して適当な所まで先送りすれば、見学者７の希望する案内情報が出力される。
【００３３】
かかる構成によれば、見学者が国語を選択すれば、案内機３には、全ての展示物に係る案内情報が見学者の選択した国語で記憶されるので、見学者は、希望する案内情報を何時でも何処でも最初から聞くことができる。
また、案内機３に配設されたボタンを操作することにより、展示物に係る案内情報を手動で頭出しすることが出来、各コーナーに備えられた送信装置からＩＤコードを受信して自動的に案内情報の頭出しすることも出来る。
【００３４】
さらに、案内機３には、様々な機能が付加されており、例えば再生スピードを調節して、見学者が聞取り易い最適スピードの話し言葉を音程を変えないで聞くことが出来、聞き漏らした案内情報を再度聞いたり、急ぎ飛ばして聞いたりすることが出来、見学者の希望に応じた案内情報を提供することが出来る。
尚、本実施例では、素材作成装置から貸出機へデータを転送する記録媒体として、光磁気ディスクを使用したが、これに限らず、例えば磁気テープ、磁気ディスクであっても構わない。また、記録媒体に限らず、貸出機に、案内情報を記憶するメモリ等を備えてもよいし、素材作成装置から貸出機へ通信等によりデータを転送するようにしても構わない。
【００３５】
また、本実施例では、光磁気ディスクに記録された全ての案内情報を信号配信部から配信するようにしたが、全ての案内情報を配信せずに、国語選択情報をファイル読み出し部に出力して選択された国語の全ての展示物に係る案内情報だけを読み出すようにしても構わない。
また、本実施例では、貸出機において希望する国語だけを選択するようにしたが、この他に、例えば大人、子供用の案内情報のように、見学者のレベルに合わせた案内情報を選択できるようにしてもよい。このようにすれば、より見学者に適応した案内情報を提供することができる。
【００３６】
【発明の効果】
以上説明したように、請求項１の発明にかかる案内装置では、全ての展示物に係る案内情報が子機記憶手段に記憶されるので、見学者には、展示物に係る案内情報を何時でも何処でも好きな部分から提供することができる。
請求項２の発明にかかる案内装置では、見学者は、希望する案内情報を手動で得ることができる。
【００３７】
請求項３の発明にかかる案内装置では、送信手段から子機の指定手段に作動信号が送信されるので、見学者の希望する案内情報を自動的に提供することができる。
請求項４の発明にかかる案内装置では、子機の再生手段には、色々な機能が付加されているので、見学者は、好きな部分から自分に合った速度の案内情報を得ることができる。
【図面の簡単な説明】
【図１】本発明の一実施例の構成を示すブロック図。
【図２】図１の案内装置の説明図。
【図３】展示会場及び送信装置の説明図。
【図４】図１の貸出機の外形図。
【図５】図４の部分拡大図。
【図６】同上部分拡大図。
【図７】図１の案内機の外形図。
【図８】図７の矢視図。
【図９】同上矢視図。
【図１０】同上矢視図。
【符号の説明】
１  素材作成装置
２  音声案内貸出機（貸出機）
３  音声案内機（案内機）
【図１】
0003641496.tif 000002
【図２】
0003641496.tif 000003
【図３】
0003641496.tif 000004
【図４】
0003641496.tif 000005
【図５】
0003641496.tif 000006
【図６】
0003641496.tif 000007
【図７】
0003641496.tif 000008
【図８】
0003641496.tif 000009
【図９】
0003641496.tif 000010
【図１０】
0003641496.tif 000011